(57)【要約】  【課題】臭気が拡散する前に脱臭を行うことにより、脱臭効果の飛躍的な向上を図った脱臭装置に関する。  【解決手段】空気の吸気口２を下部前面に、空気の吹出口３を上面にそれぞれ設けた本体ケース１と、本体ケース内にそれぞれ設け、吸気口からの空気を通すことで空気中に含まれる臭気を除去する脱臭素子４と、空気を吸気口から吸引し、吹出口から吹出して脱臭素子に還流させる送風機５と、送風機等を制御する制御部を備え、送風機は、発生した臭気を上方に拡散する前に下向きの吸気流れを発生させて吸引するように構成した脱臭装置である。臭気を下向きの吸気流れにより拡散前に吸引し脱臭させることができる。【選択図】図１
2005211678.tif 000002
【特許請求の範囲】
【請求項１】
空気の吸気口を下部に、空気の吹出口を上部にそれぞれ設けた本体ケースと、前記本体ケース内にそれぞれ設け、前記吸気口からの空気を通すことで空気中に含まれる臭気を除去するハニカム状の吸着素子を用いた脱臭素子と、空気を前記吸気口から吸引し、前記吹出口から吹出して前記脱臭素子に還流させる送風機と、前記送風機等を制御する制御部を備え、前記送風機は、空気中の臭気が上方に拡散する前に下向きの吸気流れを発生させて吸引するように構成したことを特徴とする脱臭装置。
【請求項２】
脱臭素子は、空気の通気方向を薄く構成したハニカム体とし、前記ハニカム体の通気面積を前記ハニカム体の通気方向の厚みで除した値を３０００以上に設定してなる請求項１に記載の脱臭装置。
【請求項３】
ハニカム状の脱臭素子は、１インチ角当たりのセル数が２５０以下とした請求項１または２のいずれか１項に記載の脱臭装置。
【請求項４】
脱臭素子は、本体ケース内で風の流れ方向に対して斜めに角度をつけて配置してなる請求項１〜３のいずれか１項に記載の脱臭装置。
【請求項５】
送風機は、クロスフローファンを用いてなる請求項１〜４のいずれか１項に記載の脱臭装置。
【発明の詳細な説明】
【技術分野】
【０００１】
本発明は臭気を除去する脱臭装置に関するものである。
【背景技術】
【０００２】
従来の臭気を吸引し一定の空間の脱臭を行う脱臭装置は、本体の前面の比較的広い範囲から拡散された室内臭気を吸引し、脱臭を行っている（例えば、特許文献１参照）。図３は前記特許文献１に示された脱臭装置である。
【０００３】
図３において、送風機３０が送風モータ３１により回転し、矢印で示すように吸気口３２から室内空気を吸い込み、脱臭素子３３で臭気を除去し、ケーシング３４の風路を通って排出される構成になっている。そして、ケーシング３４の風路の圧力損失を小さくし、吸引空気の脱臭素子１６との接触面積を広くとるため、脱臭素子３３がケーシング３４の前面全体に略対応する大きさに構成されている。一方、脱臭素子３３に対応した吸気口３２もケーシング３４の前面全体に略対応する大きさで広くなり、本体をなすケーシング３４の正面前面が吸気口となっている。
【特許文献１】特開２００１−３４０４３８号公報
【発明の開示】
【発明が解決しようとする課題】
【０００４】
しかしながら、前記従来の構成では、送風機３０による吸気口３２付近に発生する吸気流れが弱く、発生源の臭気を直接吸引することが困難になり、そして３６０度に臭気が拡散し、拡散した後の臭気を吸引脱臭することになる。すなわち、一様に拡散された臭気濃度を低減させるためには、長い時間かけて脱臭する必要があり、その間に高い濃度の臭気は確実に空間内に拡散し、人間の嗅覚器官である鼻に達してしまう恐れがあった。
【０００５】
また、脱臭素子としては活性炭等の多孔質体を粒状に形成したものを一定形状の容器に充填したものが主流であったが、空気の通気抵抗が大きく、充分な脱臭性能を得るためには大量の通気を行うため装置が大型化するという課題も有していた。
【０００６】
本発明は、上記従来の技術の課題を解決するもので、臭気をすばやく吸引することにより、脱臭効果が高く、またコンパクトな脱臭装置を提供することにある。
【課題を解決するための手段】
【０００７】
上記課題を達成するために本発明は、空気の吸気口を下部に、空気の吹出口を上部にそれぞれ設けた本体ケースと、本体ケース内にそれぞれ設け、吸気口からの空気を通すことで空気中に含まれる臭気を除去する脱臭素子と、空気を吸気口から吸引し、吹出口から吹出して脱臭素子に還流させる送風機と、送風機等を制御する制御部を備え、送風機は、臭気を上方に拡散する前に下向きの吸気流れを発生させて吸引するように構成した脱臭装置であり、脱臭素子は、圧力損失の低いものを使用したものである。
【０００８】
上記手段により、臭気発生源からの臭気を吸気口より下向きの吸気流れにより吸引し、拡散前に脱臭させることができるとともに、臭気を本体下部から吸引することで臭気が人間の嗅覚である鼻に達しないようにして吸引できるとともに臭気をほとんど感じることなく脱臭することができる。また、圧力損失の少ない脱臭素子を使用することにより、装置を大型化することなく、大風量の流速の速い脱臭装置とすることが可能になり臭気発生源から比較的離れた位置においても臭気が拡散する前に吸引することが可能になる。
【発明の効果】
【０００９】
以上のように本発明によれば、臭いを拡散する前に吸引し脱臭することができ、すばやく効率的な脱臭を行うことができるコンパクトな脱臭装置となる。
【発明を実施するための最良の形態】
【００１０】
第１の発明は、空気の吸気口を下部に、空気の吹出口を上部にそれぞれ設けた本体ケースと、本体ケース内にそれぞれ設け、吸気口からの空気を通すことで空気中に含まれる臭気を除去するハニカム状の吸着素子を用いた脱臭素子と、空気を吸気口から吸引し、吹出口から吹出して脱臭素子に還流させる送風機と、送風機等を制御する制御部を備え、送風機は、空気中の臭気が上方に拡散する前に下向きの吸気流れを発生させて吸引するように構成したものであり、送風機により吸気口から本体ケースの下部に下向きの吸気流れを発生させることで、臭気発生源の臭いを拡散する前に吸引し脱臭して、素早く効率的な脱臭が行えるとともに、下向きに吸気流れを発生させることで、臭気が人間の鼻に達しないようにして吸引させることができ臭気をほとんど感じることなく脱臭することができ、また、脱臭素子をハニカム状の吸着素子で構成することにより、送風機の風路の圧力損失を少なくできるため風量の増加による脱臭速度の向上や、より大風量で低騒音のコンパクトな送風機での脱臭装置の構成が可能となる。
【００１１】
第２の発明は、脱臭素子は、空気の通気方向を薄く構成したハニカム体とし、ハニカム体の通気面積をハニカム体の通気方向の厚みで除した値を３０００以上に設定したものであり、脱臭素子は空気流れ方向の厚さを薄くでき、風路の圧力損失を少なくできるため風量の増加による脱臭速度の向上や、より大風量で低騒音のコンパクトな送風機での脱臭装置の構成が可能となる。
【００１２】
第３の発明は、ハニカム状の脱臭素子は、１インチ角当たりのセル数が２５０以下としたものであり、風路の圧力損失を少なくできるため風量の増加による脱臭速度の向上や、より大風量で低騒音のコンパクトな送風機での脱臭装置の構成が可能となる。
【００１３】
第４の発明は、脱臭素子は、本体ケース内で風の流れ方向に対して斜めに角度をつけて配置したものであり、より広い面積の脱臭素子を使用してもコンパクトな移動可能な脱臭装置にすることができ、大きな脱臭素子により大風量と脱臭効率を確保した脱臭装置とすることができる。
【００１４】
第５の発明は、送風機は、クロスフローファンで構成したもので、大風量で低騒音のコンパクトな脱臭装置とすることができる。
【００１５】
以下、本発明の実施の形態について、図面を参照しながら説明する。なお、本実施の形態によって本発明が限定されるものではない。
【００１６】
（実施の形態１）
図１は、本発明の実施例１における脱臭装置の概略断面した側面図で、図２は、同脱臭装置の要部を切欠した概略正面図である。
【００１７】
本体ケース１は、空気の吸気口２を本体ケース１の前面下部に、空気の吹出口３を本体ケース１の前面上端から上面にわたる上部にそれぞれ設けている。そして、本体ケース１は吸気口２から吸引した空気を通すことで空気中に含まれる臭気を除去するハニカム状の脱臭素子４と、下向きの吸気流れとして空気を吸気口２から吸引し、吹出口３から吹出して空気を脱臭素子４に還流させる送風機５と、送風機等を制御する制御部６を備え、吸気口２と送風機５は、発生した臭気を上方に拡散する前に下向きの吸気流れを発生させて吸引するように構成したものである。
【００１８】
脱臭素子４は、ハニカム状の多数のセルに空気を通すことで空気中に含まれる臭気を除去する空気通気方向の厚さを薄く形成した吸着素子の四角形のハニカム体で構成し、上端部を本体ケース１の上面後端角に、下端部を本体ケース１の前面下部にそれぞれ位置させて、吸気口２の上方に本体ケース１内の略２／３を占めて斜めに角度をつけて配置している。従って、脱臭素子４は本体ケース１の前面上端から上面にわたって設けた本体ケース１の上部の吹出口３に対し、斜め上向きで下流側が対向することになる。
【００１９】
また、脱臭素子４は風路の圧力損失を少なくするため、ハニカム体の通気面積をハニカム体の通気方向の厚みで除した値を３０００以上に設定し、かつ１インチ角当たりのハニカム状のセル数を２５０以下としている。
【００２０】
送風機５は、モータ７を有するクロスフローファンで構成し、脱臭素子４の上流側に設けている。すなわち、送風機５は、吸気口２の幅いっぱいに相対向し、かつ吸気口２の下側いっぱいに寄って脱臭素子４の真下に位置させ、さらにクロスフローファンの風路を構成するケーシング８の吸気側を吸気口２に、排気側を脱臭素子４側にそれぞれ接続し、吸気流れを制御する舌部９を水平に対して斜め下向きに吸気口２から空気を吸引して下向きの吸気流れが発生するように配置している。
【００２１】
プレフィルター１０は、吸気口２に設けて脱臭素子４への埃詰まりを防止するもので、本体ケース１に下端部を軸支して吸気口２に手前側へ開閉自在に装着した収納カバー１１に着脱自在に収納している。従って、付着した埃を除去する時は、点線で示すように本体ケース１の手前側に収納カバー１１を開成してプレフィルター１０を取り出して行い、再生したプレフィルター１０を再び収納カバー１１に収納して収納カバー１１を閉成するものである。
【００２２】
１２は吸気口２に閉じた状態の収納カバー１１に収納したプレフィルター１０が当たって電気的に信号を制御部６に送るマイクロスイッチ等のフィルタ装着検知手段で、プレフィルター１０に相対向して本体ケース１内に設けている。従って、制御部６はプレフィルター１０を未装着状態で収納カバー１１が閉じた状態、またはプレフィルター１０を装着した状態でも収納カバー１１が開成状態では送風機５の運転ができないように構成している。
【００２３】
また制御部６は、プレフィルター１０への埃の付着度合いを、送風機５の回転数変化または送風機の電源入力量変化で検知して設定値と比較判定し、この検知した回転数変化または送風機の電源入力量変化の値が設定値を超えた時にプレフィルター１０の掃除または交換時期を報知するように構成している。なお、送風機５の回転数変化はモータ７に備えるホール素子で検出するように構成し、また送風機５の電源入力量変化は送風機５の仕事量によるモータ７へ流れる電流値を検出する構成にしている。
【００２４】
１３は制御部６に接続した脱臭装置の全体の操作部で、本体ケース１の前面に臨ましており、一部にプレフィルター１０が収納カバー１１に未装着状態または収納カバー１１が開成状態では運転できないように制御部６が制御している状態時の表示、及びプレフィルター１０への埃の付着度合いを判定し、プレフィルター１０の掃除または交換時期を制御部６が判定している時の表示等の報知部１４を設けている。なお、図中の矢印は脱臭時の空気の流れを示す。
【００２５】
次に、上記のように構成された脱臭装置の動作について説明する。操作部１３より運転信号が入力されると制御部６より入力に応じて予め設定したシーケンスに基づきモータ７に動作信号が送られる。この時、フィルタ装着検知手段１２の検知信号で制御部６が正常にプレフィルター１０が装着されていることを判断し、装着されていない場合には運転を停止するとともに、このような判断は運転中行っている。
【００２６】
そして、モータ７の動作により回転した送風機５は、発生した空気中の臭気を、本体ケース１の下部の吸気口２よりプレフィルター１０を通して吸気する。すなわち、吸気口２に対する送風機５のケーシング８と舌部９の配置により、本体ケース１の下部の吸気口２に斜め下向きの吸気流れが発生し、臭気が拡散する前に、また、人間の嗅覚である鼻に臭気が達する前に本体ケース１内に吸気させることができる。
【００２７】
吸気された臭気は、本体ケース１内の風路を通り斜めに配置された脱臭素子４を通過し脱臭される。このとき脱臭素子４は、ハニカム状の吸着素子で構成され、かつ空気の通気方向に薄く構成しているため、風路の圧力損失が少なく、クロスフローファンの送風機５により低騒音で大風量の吸気が行える。
【００２８】
また、脱臭素子４は、送風機５の真上に斜め上向きに本体ケース１内に設けているので、薄型で省スペースな配置にでき、結果として本体ケース１をコンパクトにできるとともに、吹出口３を本体ケース１の上部である高い位置に設けることができるため、本体ケース１の下部の吸気口２とのショートサーキットが起こりにくい脱臭装置とすることができる。
【００２９】
また、クロスフローファンは下流側に長い風路を確保することができるため、送風機５の性能を損なうこと無く大風量を安定して発生させることができる。
【００３０】
さらに、クロスフローファンで構成した送風機５は、脱臭素子４の上流側に設けたことで吸気側の流速を速くすることができ、空気中の臭気を本体ケース１の下部の吸気口２で確実に吸気できる。また、送風機５の下流側の風路変化を少なくすることができるため、風路の圧力損失が少なく、送風騒音の低い脱臭装置にできる。
【００３１】
また、吹出口３は本体ケース１の上部である上面に配置してあるので、脱臭素子１を通過した空気は本体ケース１の上部の吹出口３より装置を設置している部屋の天井に向かって排出され天井から壁面を通って下方に対流することになり、残留臭気の拡散を促進し、室内空間の臭気レベルの低減を促進させる効果もある。
【００３２】
また、脱臭装置はプレフィルター１０に埃が付着すると送風風量が低下し、脱臭能力の低下が起こる。これを最小限に押さえるために脱臭装置のプレフィルター１０に埃が付着し、送風風量が低下すると、制御部６は送風機５の回転数変化または送風機の電源入力量変化を検知し、プレフィルター１０の掃除もしくは交換時期を報知部１４に表示させる。これにより、脱臭能力の安定した脱臭装置とすることができる。
【００３３】
以上のように本実施例の発明によれば次のような作用効果を得ることができる。
【００３４】
本発明によれば、空気を通すことで空気中に含まれる臭気を除去する脱臭素子と、この脱臭素子に空気を還流させる送風機とを本体ケースに備え、吸気口を本体ケースの底面または前面下部に設け、吹出口を本体ケースの上面または前面上部に設け、臭気が上方に拡散する前に下向きの吸気流れで吸引させる構成としたので、本体ケースの下部に強い下向きの吸気流れを発生させることで臭いを拡散前に吸引し脱臭することができる。従って、すばやく効率的な脱臭を行うことができるとともに、下向きに吸気流れを発生させることで、臭気が人間の鼻に達する前に吸引させることができ、臭気をほとんど感じることなく脱臭することができる。
【００３５】
また、本発明によれば、吸気口は本体ケースの下部前面に設け、吸気口からの吸気流れを斜め下向きの吸気流れとした吸気口及び送風機を設けたことにより、本体ケースの下部の吸気流れに送風機のダクト構成により下向きの速度ベクトルを持たせることで、発生源の臭気を送風機の吸込み流れで効果的に吸引でき、拡散前に臭気を吸引できる本体構成とすることができるものである。
【００３６】
また、本発明によれば、送風機を脱臭素子の上流側に設けたことにより、比較的広い面積の脱臭素子の上流側に送風機を設けても、送風機の吸気口は小さく構成することができ、吸気口での強く速い流れを発生させることができる。これにより発生源の臭気を強く吸引することができる。また、送風機の下流側では脱臭素子の面積に合わせて流速が低下するが、吹出口で排気するまで風路を広く取ることで吹出口までの流速変化が少なくなり、圧力損失が少なく大風量で低騒音の脱臭装置とすることができる。
【００３７】
また、本発明によれば、脱臭素子はハニカム状の吸着素子を用いたことにより、風路の圧力損失を少なくできるため風量の増加による脱臭速度の向上や、より大風量で低騒音のコンパクトな送風機での脱臭装置の構成が可能になる。
【００３８】
また、本発明によれば、脱臭素子は空気の通気方向を薄く構成したハニカム体とし、ハニカム体の通気面積を前記ハニカム体の通気厚みで除した値を３０００以上に設定したので、脱臭素子はハニカム体の空気流れ方向を薄くし、風路の圧力損失を少なくできるため風量の増加による脱臭速度の向上や、より大風量で低騒音のコンパクトな送風機での脱臭装置の構成が可能になる。
【００３９】
また、本発明によれば、ハニカム状の脱臭素子は１インチ角当たりのセル数が２５０以下としたので、風路の圧力損失を少なくできるため風量の増加による脱臭速度の向上や、より大風量で低騒音のコンパクトな送風機での脱臭装置の構成が可能になる。
【００４０】
また、本発明によれば、送風機をクロスフローファンで構成したので、大風量で低騒音のコンパクトな脱臭装置とすることができる。
【００４１】
また、本発明によれば、脱臭素子は本体ケース内で風の流れ方向に対して斜めに角度をつけて配置したので、より広い面積の脱臭素子を使用してもコンパクトな移動可能な脱臭装置とすることができ、大きな脱臭素子により大風量と脱臭効率を確保した脱臭装置とすることができる。
【００４２】
また、本発明によれば、脱臭装置の吸気側には脱臭素子への埃詰まりを防止するプレフィルターと、プレフィルターを収納し簡単に着脱できる収納カバーとを備え、プレフィルターが装着されていない、もしくは収納カバーが開成状態では運転できない構成にしているので、脱臭装置における吸気量の低下を、プレフィルターの確実な装着により脱臭素子への埃詰まりを防ぐことで防止でき、かつ脱臭効果の経年的な低下も防止できる脱臭装置の構成にすることができる。
【００４３】
また、本発明によれば、送風機の回転数変化または送風機の電源入力量変化を検知し、脱臭装置のプレフィルターへの埃の付着を判定し、プレフィルターの掃除もしくは交換時期を表示する構成としたもので、脱臭装置における吸気量の低下を、送風機の回転数変化または送風機の電源入力量変化を検知することで使用時における脱臭効果の低減を回避し、定期的にプレフィルターの清掃・交換を行うことにより、脱臭効果の経年的な低下も防止できる脱臭装置の構成とすることができる。
【産業上の利用可能性】
【００４４】
以上のように、本発明にかかる脱臭装置は、臭いを拡散する前に吸引し脱臭することができ、すばやく効率的な脱臭を行うことができる。
【図面の簡単な説明】
【００４５】
【図１】本発明の実施例１における脱臭装置の概略断面した側面図
【図２】同実施例１における脱臭装置の要部を切欠した概略正面図
【図３】従来の脱臭装置の構成図
【符号の説明】
【００４６】
１  本体ケース
２  吸気口
３  吹出口
４  脱臭素子（吸着素子）
５  送風機
６  制御部
１０  プレフィルター
１１  収納カバー
１２  フィルタ装着検知手段
１４  報知部
【図１】
2005211678.tif 000003
【図２】
2005211678.tif 000004
【図３】
2005211678.tif 000005